(57)【要約】【課題】従来のベルトクリーナの取付け部の構造では、掻き板や四角形棒状ゴム製弾性体の先端に取り付けたチップをベルト表面に精密に当接させることは困難であった。又、ベルトコンベア稼動中に、掻き取り状況を観察しながら、チップと戻り側ベルト表面の当接状態を調節することはできなかった。【解決手段】ベルトクリーナの支持パイプを、溝型基体の内側に溶接したＵボルトと該Ｕボルトに嵌装されたパイプ押え板からなるパイプクランプに挟み込んで固定し、パイプクランプは溝型に形成したパイプクランプ置台に載置し、パイプクランプ置台の底板には、パイプクランプの高さ調整用の高さ調整ボルトを取り付け、パイプクランプは、溝型基体の側面に取り付けられた締め付けボルトで、パイプクランプ置台の片側側面に固定した。パイプクランプ置台は、固定ボルトを架台受け基部に貫通させてコンベアフレームに取り付けた。【選択図】図１
2017071453.tif 000002
【特許請求の範囲】
【請求項１】
自由端末に耐磨耗材からなるチップを取り付けた複数の掻き取り体が、戻り側ベルトの幅方向に配設された架台に取り付けられており、前記架台は両端に支持パイプが取り付けられ、該支持パイプをコンベアフレームに固定したベルトクリーナにおいて、前記支持パイプは、溝型基体の内側に溶接したＵボルトと該Ｕボルトに嵌装されたパイプ押え板からなるパイプクランプに挟み込まれて固定され、前記パイプクランプは溝型に形成されたパイプクランプ置台に載置され、該パイプクランプ置台の底板には、前記パイプクランプの高さ調整用の高さ調整ボルトが取り付けられており、前記パイプクランプは、前記溝型基体の側面に取り付けられた締め付けボルトを、前記パイプクランプ置台の片側側面に設けられた長穴に貫通せしめて固定されており、前記パイプクランプ置台は、該パイプクランプ置台の他側面に設けられた固定ボルトをコンベアフレームに取り付けた架台受け基部に貫通せしめて、前記パイプクランプ置台と前記架台受け基部を締め付け固定して、コンベアフレームに取り付けられていることを特徴とするベルトクリーナ。
【請求項２】
前記パイプクランプは、前記溝型基体の内側に溶接した前記Ｕボルトと該Ｕボルトに嵌装された前記パイプ押え板と、前記溝型基体の側面に取り付けられた締め付けボルトで構成されており、前記支持パイプを、前記Ｕボルトと前記押え板で挟み込んで固定せしめるとともに、前記締め付けボルトで前記パイプクランプを固定せしめることを特徴とする請求項１記載のパイプクランプ。
【発明の詳細な説明】
【技術分野】
【０００１】
本発明は原材料の輸送に用いるベルトコンベアの戻り側ベルト表面に付着した付着物を掻き取るベルトクリーナにおいて、ベルトクリーナをコンベア架台に取り付けるための取付け治具に関するものである。
【背景技術】
【０００２】
ベルトコンベアにおいて、通常搬送物はキャリアベルト（搬送側ベルト）に載せて搬送され、駆動プーリ側で払い出されリターンベルト（戻り側ベルト）となり従動プーリへ戻るが、戻り側ベルト表面に付着した搬送物（ベルトへの付着物）が途中で落下し、戻り側ベルト下に堆積する問題があった。又、付着物はリターンローラやスナッププーリを摩耗させたり、これらのローラに付着し戻り側ベルトを蛇行させたりする問題があった。
【０００３】
戻り側ベルト下に落下した搬送材の堆積物は、定期的に落下物の回収作業を実施しているが、戻り側ベルトの全長に渡り落下・堆積するので多大の労力と費用がかかっている。戻り側ベルトの付着物を掻き落すために、スクレーパ式、ブラシ方式、洗浄方式などのベルトクリーナが設置されている。中でもスクレーパ式ベルトクリーナが多用されている。スクレーパ式ベルトクリーナは掻き板や四角形棒状ゴム製弾性体の自由側端末に耐磨耗材からなるチップを取り付け、チップを戻り側ベルトの表面に押圧して付着物を掻き取る構造である。
【０００４】
コンベアベルトは使用するにつれ徐々に摩耗するが、特に中央部が選択的に円弧状に摩耗する。又、長機長ベルトは複数のエンドレス部（ベルト繋ぎ部）を有するため段差が生じる。又、戻り側ベルトは通常トラフ癖のため凸円弧状に変形している。又、ベルトのエンドレス部（繋ぎ部）は経年的に剥離してエンドレス端部が剥がれてくるので突起物となる。スクレーパ式ベルトクリーナ（以降ベルトクリーナと呼ぶ）はベルト表面の付着物を掻き取るために不可欠であるが、不均一な摩耗や変形や突起物などのため、掻き取り部をベルト表面に均一に当接する方法や瞬間的な突起物の回避方法などが不十分であり、掻き取り性能不足やベルトト折損トラブルなどの問題があった。
【０００５】
ベルトクリーナの掻き取り機能を効率的に発揮せしめるには、自由側端末先端に取り付けたチップを戻り側ベルト表面に精密に当接しなければならない。又、ベルトクリーナはベルト進行方向の摩擦力による水平力や、ベルトの凹凸による垂直方向の振動力を受けるので、強固に取り付ける必要がある。このため、ベルトクリーナの取り付け構造についてはいろいろな種類が提案されている。
【０００６】
特開平０８−２０８０２０号広報において、搬送ベルトの幅方向両側に配置された一対の取付け部材に両端が保持された指示部材を、支持部材上に配設されたクリーナ部材のチップが搬送ベルトの表面と圧接する状態の位置に支持部材を付勢するゴム弾性体を介して搬送ベルトへ回動可能に設けたクリーナが提案されている。チップはクリーナ部材に取り付けられ、クリーナ部材は支持部材に取り付けられ、支持部材は可動基部に支持され、可動基部はコンベア架台に取り付けられた固定基部にボルトナットで固定されている。この取り付け方法は、従来、一般的に多くのクリーナに採用されている。この方法においては、チップの高さ調整は固定基部のボルトナットを一旦緩めて、調節ネジで可動基部を昇降させた後、再度固定基部のボルトナットを締める必要がある。調節ネジで高さ調整する間は、大重量のクリーナをセット位置に精度よく保持しなければならず、クリーナが少しでもずれると原点がずれることになり、調節ネジによる位置決めの信頼性が消失し精密な高さ調整ができなかった。即ち従来から慣用的に使用されているベルトクリーナの取り付け方法では、クリーナの精密な高さ調整は不可能であった。又、ベルト稼動中においては、固定基部ボルトを緩めることは極めて危険であることから、稼働中に掻き取り状況を観察しながら、チップの高さ調整をすることは不可能であった。
【先行技術文献】
【特許文献】
【０００７】
【特許文献０１】特開平０８−２０８０２０号広報
【発明の概要】
【発明が解決しようとする課題】
【０００８】
本発明は以下の課題を解決するものである。（１）掻き板や四角形棒状ゴム製弾性体の先端に取り付けたチップをベルト表面に精密に当接させる。（２）ベルトコンベア稼動中に、掻き取り状況を観察しながら、チップと戻り側ベルト表面の当接状態を調節できるようにする。（３）ベルトコンベア稼動中に架台の取付けが緩んで、掻き取り性能が低下しないようにする。（４）ベルトクリーナを短時間にセッティングできるようにする。（５）ベルトクリーナの取付け部をコンパクトにして、狭いスペースにとりつけ可能にする。
【課題を解決するための手段】
【０００９】
第１の解決手段は特許請求項１に示すように、自由端末に耐磨耗材からなるチップを取り付けた複数の掻き取り体が、戻り側ベルトの幅方向に配設された架台に取り付けられており、前記架台は両端に支持パイプが取り付けられ、該支持パイプをコンベアフレームに固定したベルトクリーナにおいて、前記支持パイプは、溝型基体の内側に溶接したＵボルトと該Ｕボルトに嵌装されたパイプ押え板からなるパイプクランプに挟み込まれて固定され、前記パイプクランプは溝型に形成されたパイプクランプ置台に載置され、該パイプクランプ置台の底板には、前記パイプクランプの高さ調整用の高さ調整ボルトが取り付けられており、前記パイプクランプは、前記溝型基体の側面に取り付けられた締め付けボルトを、前記パイプクランプ置台の片側側面に設けられた長穴に貫通せしめて固定されており、前記パイプクランプ置台は、該パイプクランプ置台の他側面に設けられた固定ボルトをコンベアフレームに取り付けた架台受け基部に貫通せしめて、前記パイプクランプ置台と前記架台受け基部を締め付け固定して、コンベアフレームに取り付けられていることを特徴とするベルトクリーナである。
【００１０】
第２の解決手段は特許請求項２に示すように、前記パイプクランプは、前記溝型基体の内側に溶接した前記Ｕボルトと該Ｕボルトに嵌装された前記パイプ押え板と、前記溝型基体の側面に取り付けられた締め付けボルトで構成されており、前記支持パイプを、前記Ｕボルトと前記押え板で挟み込んで固定せしめるとともに、前記締め付けボルトで前記パイプクランプを固定せしめることを特徴とするパイプクランプである。
【発明の効果】
【００１１】
第１の解決手段による効果は以下である。（１）ベルトクリーナの両端に設けた支持パイプをパイプ回転防止体に嵌装し、パイプ回転防止体をパイプ載置体に載置し、一旦、ベルトクリーナの重量をパイプ載置体で受け持つので、高さ調整ボルトでパイプ載置体を昇降することにより、簡単にしかも精度よくチップの高さ調整が可能であり、チップを精密に戻り側ベルト表面に当接できる。（２）ベルトコンベア稼動中に、掻き取り状況を観察しながら、チップと戻り側ベルト表面の当接状態を調節でき。（３）ベルトクリーナの両端の支持パイプをパイプ回転防止体のＵボルトで締め付け固定するので、ベルトコンベア稼動中に、ベルトの水平力や振動により、支持パイプの締め付けが緩むことが無い。（４）ベルトクリーナのセッティングが短時間で可能となる。（５）ベルトクリーナの取付け部構造がコンパクトになり、コンベア架台の狭いスペースに取付け可能である。
【００１２】
第２の解決手段による効果は、（１）パイプを強固に締め付けることができるので、パイプ回転を確実に防止できることである。（２）パイプ回転防止体でパイプの回転を防止し、且つ、パイプ載置体に対してフリーにした状態で、パイプ回転防止体の高さ調整ができることから、精密な高さ調整が可能となる。しかも、ベルト稼動中でもベルトクリーナの高さ調整が可能となる。
【図面の簡単な説明】
【００１３】
【図１】ベルトクリーナを部分断面した全体斜視図。
【図２】ベルトクリーナ支持パイプの取付け部斜視図。
【図３】ベルトクリーナ支持パイプの取付け部断面図。
【図４】パイプ回転防止体の断面図。
【図５】パイプ載置体の断面図。
【００１４】
本発明の実施形態を請求項１〜２及び図１〜５に基づいて説明する。
【００１５】
第１の解決手段は特許請求項１に示すように、自由端末２０ａに耐磨耗材からなるチップ２１を取り付けた複数の掻き取り体２０が、戻り側ベルト３１の幅方向に配設された架台４０に取り付けられており、前記架台４０は両端に支持パイプ５０が取り付けられ、該支持パイプ５０をコンベアフレーム９０に固定したベルトクリーナ１０において、前記支持パイプ５０は、溝型基体６１の内側に溶接したＵボルト６２と該Ｕボルト６２に嵌装されたパイプ押え板６４からなるパイプクランプ６０に挟み込まれて固定され、前記パイプクランプ６０は溝型に形成されたパイプクランプ置台７０に載置され、該パイプクランプ置台７０の底板７０ａには、前記パイプクランプ６０の高さ調整用の高さ調整ボルト７１が取り付けられており、前記パイプクランプ６０は、前記溝型基体６１の側面６１ａに取り付けられた締め付けボルト６５を、前記パイプクランプ置台７０の片側側面７０ｂに設けられた長穴７０ｃに貫通せしめて固定されており、前記パイプクランプ置台７０は、該パイプクランプ置台７０の他側面７０ｄに設けられた固定ボルト７３をコンベアフレーム９０に取り付けた架台受け基部８０に貫通せしめて、前記パイプクランプ置台７０と前記架台受け基部８０を締め付け固定して、コンベアフレーム９０に取り付けられていることを特徴とするベルトクリーナ１０である。
【００１６】
一般に、ベルトクリーナは掻き取り体２０の自由側端末２０ａに耐磨耗材からなるチップ２１を取り付けて、戻り側ベルト３１の表面に当接して、付着物を掻き取る構造が多用されている。例えば、図１は、掻き取り体２０である四角形棒状ゴム製弾性体２０にチップ２１を取り付けたベルトクリーナ１０の部分斜視図である。四角形棒状ゴム製弾性体２０は、溝型架台４０に設けた溝４０ａに挿入されている。溝４０ａは押し側板４１と受け側板４２及び底板４３で構成されている。押し側板４１にはナット４６が取り付けられ、押し付けボルト４５が転動自在に取り付けてあり、押し付けボルト４５で押し付け板４４を押し付けることにより、四角形棒状ゴム製弾性体２０を受け側板４２に押し付けて固定している。架台４０の両側にはフランジ４７が取り付けられ、フランジ４７に支持パイプ５０が取り付けられている。
【００１７】
図４に示すように、パイプクランプ６０は溝型基体６１及びＵボルト６２及び押え板６４から構成されている。溝型基体６１は金属板をプレス成型したり溶接したりして溝型に形成することができる。Ｕボルト６２は溝型基体６１に溶接６７固定されている。Ｕボルト６２には押え板６４が嵌装され、Ｕボルト６２と押え板６４で支持パイプ５０を挟み、ナット６３を締めることにより、支持パイプ５０をパイプクランプ６０に固定する。溝型基体６１の側面６１ａには締め付けボルト６５が設けられており、パイプクランプ６０は締め付けボルト６５でパイプクランプ置台７０に固定される。
【００１８】
図３に示すように、パイプクランプ６０はパイプクランプ置台７０に載置される。パイプクランプ置台の片側側面７０ｂには、上方が開放された長穴７０ｃが設けられており、長穴７０ｃに、溝型基体６１の側面６１ａに設けた締め付けボルト６５を貫通せしめて、ナット６６を締め付けることにより、パイプクランプ６０とパイプクランプ置台７０が固定される。長穴７０ｃの上方は、パイプクランプ６０の締め付けボルト６５を長穴７０ｃの上側から挿入できるように開放されている。
【００１９】
パイプクランプ置台７０の底板７０ａには、パイプクランプ６０の高さを調整して、チップ２１と戻り側ベルト３１の押圧力を調整するための高さ調整ボルト７１が取り付けられている。高さ調整ボルト７１は底板７０ａに溶接されたナット７２により転動自在に固定されている。高さ調整ボルト７１により、溝型基体６１の底板６１ｂを押し上げることにより、パイプクランプ６０が押し上げられ、パイプクランプ６０に取り付けられている支持パイプ５０が押し上げられ、チップ２１と戻り側ベルト３１の押圧力が所定の大きさに調整される。パイプクランプ置台７０の他側面７０ｄには、固定ボルト７３が取り付けられている。固定ボルト７３は強度確保するために、他側面７０ｄに設けられた貫通孔７０ｅに挿入され溶接固定されている。固定ボルト７３をコンベアフレーム９０に取り付けられた架台受け基部８０の貫通孔８０ａに貫通せしめて、ナット７４を締め付けることにより、パイプクランプ置台７０をコンベアフレーム９０に取り付けることができる。
【００２０】
ベルトクリーナ１０をコンベアフレーム９０に取り付ける手順は以下である。（１）ベルトクリーナ１０のチップ２１と戻り側ベルト３１を当接させる。（２）チップ２１と戻り側ベルト３１の当接角度を決め、パイプクランプ６０のＵボルト６２と押え板６４で支持パイプ５０を挟み、ナット６３を締めて、支持パイプ５０をパイプクランプ６０に固定する。（３）パイプクランプ６０を上方からパイプクランプ置台７０に挿入して、パイプクランプ６０をパイプクランプ置台７０に載置する。（４）チップ２１と戻り側ベルト３１が当接している状態を維持しつつ、パイプクランプ置台７０をボルト７３、ナット７４で架台受け基部８０に固定する。（５）チップ２１が戻り側ベルト３１を押圧するように、高さ調整ボルト７１で、溝型基体６１の底板６１ｂを数ミリ程度押し上げる。（６）締め付けボルト６５とナット６６で、パイプクランプ６０をパイプクランプ置台７０に固定する。
【００２１】
以上の様にして取り付けられているベルトクリーナの効果は以下である。（１）ベルトクリーナ１０の両端に設けた支持パイプ５０をパイプクランプ６０に固定し、パイプクランプ６０をパイプクランプ置台７０に載置し、パイプクランプ置台７０を架台受け基部８０に固定することにより、ベルトクリーナ１０の重量をパイプクランプ置台７０で受け持つことができるため、高さ調整ボルト７１によるパイプクランプ６０の昇降が容易となり、精密に且つ簡単にチップ２１の高さ調整が可能であり、チップ２１を精密に戻り側ベルト３１表面に当接できる。（２）ベルトコンベア３０稼動中に、パイプクランプ６０をパイプクランプ置台７０に固定している締め付けボルト６５とナット６６を微小に緩めても、パイプクランプ６０がパイプクランプ置台７０から外れることが無いことから、パイプクランプ６０を高さ調整ボルト７１で昇降させることが可能である。そのため、掻き取り状況を観察しながら、チップ２１と戻り側ベルト３１表面の当接状態を調節できるので、常に最良の状態で付着物を掻き取ることができる。（３）パイプクランプ６０は溝型の溝型基体６１にＵボルト６２を溶接しているので、押え板６４で支持パイプ５０を挟みこみ、ナット６３で締め付けることにより、Ｕボルト６２と押え板６４の弾性変形により支持パイプ５０を固定できる。このため、ベルトコンベア稼動中に、ベルト３０の水平力や振動により、支持パイプ５０の締め付けが緩むことが無い。（４）ベルトクリーナ１０の重量を架台受け基部８０に固定したパイプクランプ置台７０で受けた状態で、ベルトクリーナ１０の精密な高さ調整ができるのでベルトクリーナ１０のセッティングが短時間で可能となる。（５）パイプクランプ６０とパイプクランプ置台７０はコンパクトな構造であり、コンベアフレーム９０の狭いスペースに取付け可能である。
【００２２】
第２の解決手段は特許請求項２に示すように、前記パイプクランプ６０は、前記溝型基体６１の内側に溶接した前記Ｕボルト６２と該Ｕボルト６２に嵌装された前記パイプ押え板６４と、前記溝型基体６１の側面６１ａに取り付けられた締め付けボルト６５で構成されており、前記支持パイプ５０を、前記Ｕボルト６２と前記押え板６４で挟み込んで固定せしめるとともに、前記締め付けボルト６５で前記パイプクランプ６０を固定せしめることを特徴とするパイプクランプ６０である。
【００２３】
図４に示すように、パイプクランプ６０は溝型基体６１及びＵボルト６２及び押え板６４から構成されている。溝型基体６１は金属板をプレス成型したり溶接したりして溝型に形成することができる。Ｕボルト６２は溝型基体６１に溶接６７固定されている。溶接６７はＵボルト６２の円弧部６２ａと胴部６２ｂを溶接している。Ｕボルト６２には押え板６４が嵌装され、Ｕボルト６２と押え板６４で支持パイプ５０を挟み、ナット６３を締めることにより、支持パイプ５０をパイプクランプ６０に固定する。溝型基体６１の側面６１ａには締め付けボルト６５が設けられており、パイプクランプ６０は締め付けボルト６５でパイプクランプ置台７０に固定される。締め付けボルト６５は強度を上げるために、側面６１ａに貫通孔６１ｃを設け、貫通孔６１ｃに締め付けボルト６５を挿入して溶接固定している。パイプクランプ６０はベルトクリーナ１０の固定だけでなく一般的なパイプのクランプにも使用できる。
【符号の説明】
【００２４】
１０：ベルトクリーナ
２０：四角形棒状ゴム製弾性体（掻き取り体）
２０ａ：自由側端末
２１：チップ
３０：ベルト
３１：戻り側ベルト
４０：架台
４０ａ：溝
４１：押し側板
４２：受け側板
４３：底板
４４：押し付け板
４５：押し付けボルト
４６：ナット
４７：フランジ
５０：支持パイプ
６０：パイプクランプ
６１：溝型基体
６１ａ：側面
６１ｂ：底板
６２：Ｕボルト
６２ｂ：円弧部
６２ｃ：胴部
６３：ナット
６４：押え板
６５：締め付けボルト
６６：ナット
６７：溶接
７０：パイプクランプ置台
７０ａ：底板
７０ｂ：片側側面
７０ｃ：長穴
７０ｄ：他側面
７０ｅ：貫通孔
７１：高さ調整ボルト
７２：ナット
７３：固定ボルト
７４：ナット
８０：架台受け基部
８０ａ：貫通孔
９０：コンベアフレーム
【図１】
2017071453.tif 000003
【図２】
2017071453.tif 000004
【図３】
2017071453.tif 000005
【図４】
2017071453.tif 000006
【図５】
2017071453.tif 000007
【手続補正書】
【提出日】平成28年7月9日(2016.7.9)
【手続補正１】
【補正対象書類名】特許請求の範囲
【補正対象項目名】請求項１
【補正方法】変更
【補正の内容】
【請求項１】
自由端末に耐磨耗材からなるチップを取り付けた複数の掻き取り体が、戻り側ベルトの幅方向に配設された架台に取り付けられており、前記架台は両端に支持パイプが取り付けられ、該支持パイプをコンベアフレームに固定したベルトクリーナにおいて、前記支持パイプは、溝型基体の内側に溶接され剛性を高めたＵボルトと、該Ｕボルトに嵌装されたパイプ押え板からなるパイプクランプに挟み込まれて固定され、前記パイプクランプは溝型に形成されたパイプクランプ置台に載置され、該パイプクランプ置台の底板には、前記パイプクランプの高さ調整用の高さ調整ボルトが取り付けられており、前記パイプクランプは、前記溝型基体の側面に取り付けられた締め付けボルトを、前記パイプクランプ置台の片側側面に設けられた長穴に貫通せしめて固定されており、前記パイプクランプ置台は、該パイプクランプ置台の他側面に設けられた固定ボルトを、架台受け基部に貫通せしめて、前記パイプクランプ置台と前記架台受け基部を締め付け固定していることを特徴とするベルトクリーナ。
【手続補正２】
【補正対象書類名】特許請求の範囲
【補正対象項目名】請求項２
【補正方法】変更
【補正の内容】
【請求項２】
前記パイプクランプは、前記溝型基体の内側に溶接した前記Ｕボルトと該Ｕボルトに嵌装された前記パイプ押え板と、前記溝型基体の側面に取り付けられた締め付けボルトで構成されており、前記支持パイプを、前記Ｕボルトと前記パイプ押え板で挟み込んで固定せしめるとともに、前記締め付けボルトで前記パイプクランプを固定せしめることを特徴とする請求項１記載のパイプクランプ。
【手続補正３】
【補正対象書類名】明細書
【補正対象項目名】０００９
【補正方法】変更
【補正の内容】
【０００９】
第１の解決手段は特許請求項１に示すように、自由端末に耐磨耗材からなるチップを取り付けた複数の掻き取り体が、戻り側ベルトの幅方向に配設された架台に取り付けられており、前記架台は両端に支持パイプが取り付けられ、該支持パイプをコンベアフレームに固定したベルトクリーナにおいて、前記支持パイプは、溝型基体の内側に溶接され剛性を高めたＵボルトと、該Ｕボルトに嵌装されたパイプ押え板からなるパイプクランプに挟み込まれて固定され、前記パイプクランプは溝型に形成されたパイプクランプ置台に載置され、該パイプクランプ置台の底板には、前記パイプクランプの高さ調整用の高さ調整ボルトが取り付けられており、前記パイプクランプは、前記溝型基体の側面に取り付けられた締め付けボルトを、前記パイプクランプ置台の片側側面に設けられた長穴に貫通せしめて固定されており、前記パイプクランプ置台は、該パイプクランプ置台の他側面に設けられた固定ボルトを、架台受け基部に貫通せしめて、前記パイプクランプ置台と前記架台受け基部を締め付け固定していることを特徴とするベルトクリーナである。
【手続補正４】
【補正対象書類名】明細書
【補正対象項目名】００１０
【補正方法】変更
【補正の内容】
【００１０】
第２の解決手段は特許請求項２に示すように、前記パイプクランプは、前記溝型基体の内側に溶接した前記Ｕボルトと該Ｕボルトに嵌装された前記パイプ押え板と、前記溝型基体の側面に取り付けられた締め付けボルトで構成されており、前記支持パイプを、前記Ｕボルトと前記パイプ押え板で挟み込んで固定せしめるとともに、前記締め付けボルトで前記パイプクランプを固定せしめることを特徴とする請求項１記載のパイプクランプである。
【手続補正５】
【補正対象書類名】明細書
【補正対象項目名】００１５
【補正方法】変更
【補正の内容】
【００１５】
第１の解決手段は特許請求項１に示すように、自由端末２０ａに耐磨耗材からなるチップ２１を取り付けた複数の掻き取り体２０が、戻り側ベルト３１の幅方向に配設された架台４０に取り付けられており、前記架台４０は両端に支持パイプ５０が取り付けられ、該支持パイプ５０をコンベアフレーム９０に固定したベルトクリーナ１０において、前記支持パイプ５０は、溝型基体６１の内側に溶接され剛性を高めたＵボルト６２と該Ｕボルト６２に嵌装されたパイプ押え板６４からなるパイプクランプ６０に挟み込まれて固定され、前記パイプクランプ６０は溝型に形成されたパイプクランプ置台７０に載置され、該パイプクランプ置台７０の底板７０ａには、前記パイプクランプ６０の高さ調整用の高さ調整ボルト７１が取り付けられており、前記パイプクランプ６０は、前記溝型基体６１の側面６１ａに取り付けられた締め付けボルト６５を、前記パイプクランプ置台７０の片側側面７０ｂに設けられた長穴７０ｃに貫通せしめて固定されており、前記パイプクランプ置台７０は、該パイプクランプ置台７０の他側面７０ｄに設けられた固定ボルト７３を、架台受け基部８０に貫通せしめて、前記パイプクランプ置台７０と前記架台受け基部８０を締め付け固定していることを特徴とするベルトクリーナ１０である。
【手続補正６】
【補正対象書類名】明細書
【補正対象項目名】００２２
【補正方法】変更
【補正の内容】
【００２２】
第２の解決手段は特許請求項２に示すように、前記パイプクランプ６０は、前記溝型基体６１の内側に溶接した前記Ｕボルト６２と該Ｕボルト６２に嵌装された前記パイプ押え板６４と、前記溝型基体６１の側面６１ａに取り付けられた締め付けボルト６５で構成されており、前記支持パイプ５０を、前記Ｕボルト６２と前記パイプ押え板６４で挟み込んで固定せしめるとともに、前記締め付けボルト６５で前記パイプクランプ６０を固定せしめることを特徴とするパイプクランプ６０である。